(57)【要約】【課題】コードロックにおける紐に対する留め付け位置の変更を、その構造の複雑化を招くことなく、片手でも容易に行えるようにする。【解決手段】雄具Ｍとこの雄具Ｍを付勢手段Ｓの付勢に抗する向きへの移動操作可能に納める雌具Ｆとを有すると共に、この雄具Ｍ及び雌具Ｆの側部にそれぞれ紐Ｗの通し孔１、５を備えてなる。雌具Ｆには、コードロックの装備対象物に対する取り付け部６が備えられている。雄具Ｍの通し孔１における前記付勢により紐Ｗを挟持する挟持箇所が、この通し孔１の一方の孔口１ａ側よりも他方の孔口１ｂ側において、前記付勢先側Ｓｂに位置されるようになっている。【選択図】図６
2012223392.tif 000002
【特許請求の範囲】
【請求項１】
雄具とこの雄具を付勢手段の付勢に抗する向きへの移動操作可能に納める雌具とを有すると共に、この雄具及び雌具の側部にそれぞれ紐の通し孔を備えてなるコードロックであって、
前記雌具には、コードロックの装備対象物に対する取り付け部が備えられていると共に、
少なくとも、前記雄具の通し孔における前記付勢により紐を挟持する挟持箇所が、この通し孔の一方の孔口側よりも他方の孔口側において、前記付勢先側に位置されるようになっていることを特徴とするコードロック。
【請求項２】
雄具の通し孔の他方の孔口側の挟持箇所は、この雄具の側部と通し孔の孔内壁とが９０度以内の角度をもって接し合う縁部により構成されていることを特徴とする請求項１に記載のコードロック。
【請求項３】
紐の挟持状態において、少なくとも、雄具の通し孔の他方の孔口側の挟持箇所が、雌具の通し孔における紐を挟持する挟持箇所に対向する箇所よりも、付勢手段の付勢先側に位置されるようになっていることを特徴とする請求項１又は請求項２に記載のコードロック。
【請求項４】
雌具の取り付け部が、雌具の側部から張り出し縫着可能な薄肉板状をなすように構成されていることを特徴とする請求項１〜請求項３のいずれか１項に記載のコードロック。
【請求項５】
雄具は脚部と通し孔を備えた頭部とを有すると共に、
雌具は前記頭部の突き出される一方筒口と、前記脚部の端部の突き出される他方筒口とを備えた筒状をなすように構成されていることを特徴とする請求項１〜請求項４のいずれか１項に記載のコードロック。
【発明の詳細な説明】
【技術分野】
【０００１】
この発明は、紐の任意の位置に留め付け可能であり、また、この留め付け状態を雄具を付勢に抗する向きへ移動操作することで解くように構成されたコードロックの改良に関する。
【背景技術】
【０００２】
側部に紐の通し孔を備えた本体と、付勢に抗した所定の押し込み位置でこの本体の通し孔に整合する紐の通し孔を備えたボタン体とからなるコードロックがある。（特許文献１の図３参照）しかるに、かかるコードロックにあっては、紐に対する留め付け位置を変えるためには、基本的には前記ボタン体を押し込みながら紐を引っ張る必要があり、この操作を片手でも容易に行えるようにすることが課題となっている。
【先行技術文献】
【特許文献】
【０００３】
【特許文献１】特開２０００−７００１４号公報
【発明の概要】
【発明が解決しようとする課題】
【０００４】
この発明が解決しようとする主たる問題点は、この種のコードロックにおける紐に対する留め付け位置の変更を、その構造の複雑化を招くことなく、片手でも容易に行えるようにする点にある。
【課題を解決するための手段】
【０００５】
前記課題を達成するために、この発明にあっては、コードロックを、雄具とこの雄具を付勢手段の付勢に抗する向きへの移動操作可能に納める雌具とを有すると共に、この雄具及び雌具の側部にそれぞれ紐の通し孔を備えてなるコードロックであって、
前記雌具には、コードロックの装備対象物に対する取り付け部が備えられていると共に、
少なくとも、前記雄具の通し孔における前記付勢により紐を挟持する挟持箇所が、この通し孔の一方の孔口側よりも他方の孔口側において、前記付勢先側に位置されるようになっているものとした。
【０００６】
コードロックを構成する雌具は装備対象物に取り付け部をもって取り付けられる。かかる雌具の挟持箇所と雄具の挟持箇所とによって挟持された紐を、前記雄具の通し孔における他方の孔口から外方に引き出される向きに引っ張ると、前記のように形成される通し孔は前記付勢先側に位置される他方の孔口側の挟持箇所を紐に突き立て難くすることから、この向きには所望の位置まで片手で紐を比較的抵抗少なく引き出すことができる。この紐の引っ張り操作を止めると付勢手段の付勢により雌具の挟持箇所と雄具の挟持箇所とによって再び紐の挟持がなされる。一方、前記雄具の通し孔における一方の孔口から外方に引き出される向きへの紐が移動される場合には、前記他方の孔口側の挟持箇所が紐に突き立つことから、この向きへは紐を引き出し難くすることができる。
【０００７】
前記雄具の通し孔の他方の孔口側の挟持箇所は、この雄具の側部と通し孔の孔内壁とが９０度以内の角度をもって接し合う縁部により構成されるようにすることが、好ましい態様の一つとされる。
【０００８】
また、前記紐の挟持状態において、少なくとも、雄具の通し孔の他方の孔口側の挟持箇所が、雌具の通し孔における紐を挟持する挟持箇所に対向する箇所よりも、付勢手段の付勢先側に位置されるようにしておくことが、好ましい態様の一つとされる。
【０００９】
前記雌具の取り付け部を、雌具の側部から張り出し縫着可能な薄肉板状をなすように構成させておけば、この取り付け部を装備対象物に縫着することで、コードロックをかかる装備対象物の所望の位置に取り付けることができる。
【００１０】
前記雄具を脚部と通し孔を備えた頭部とを有するようにすると共に、雌具を前記頭部の突き出される一方筒口と前記脚部の端部の突き出される他方筒口とを備えた筒状をなすように構成させておけば、筒状主体の筒他端の外側に突き出される雄具の脚部の端部を引っ張ることでも前記付勢に抗する向きに雄具を移動させて紐に対するコードロックの留め付け状態を解除することができる。
【発明の効果】
【００１１】
この発明によれば、コードロックの構造の複雑化を招くことなく、紐に対するその留め付け位置の変更を、片手でも容易に行えるようにすることができる。
【図面の簡単な説明】
【００１２】
【図１】図１は実施の形態にかかるコードロックの正面図である。
【図２】図２は実施の形態にかかるコードロックの背面図である。
【図３】図３は実施の形態にかかるコードロックの平面図である。
【図４】図４は実施の形態にかかるコードロックの右側面図である。
【図５】図５は図１におけるＡ−Ａ線断面図である。
【図６】図６は実施の形態にかかるコードロックを紐に留め付けた状態を示した断面図である。
【図７】図７は雌具の正面図である。
【図８】図８は雌具の平面図である。
【図９】図９は図７におけるＢ−Ｂ線断面図である。
【図１０】図１０は雌具の右側面図である。
【図１１】図１１は図７におけるＣ−Ｃ線断面図である。
【図１２】図１２は雄具の正面図である。
【図１３】図１３は雄具の平面図である。
【図１４】図１４は雄具の底面図である。
【図１５】図１５は雄具の右側面図である。
【図１６】図１１は図１２におけるＤ−Ｄ線断面図である。
【発明を実施するための形態】
【００１３】
以下、図１〜図１６に基づいて、この発明の典型的な実施の形態について、説明する。この実施の形態にかかるコードロックは、紐Ｗの任意の位置に留め付け可能であり、また、この留め付け状態をコードロックを構成する雄具Ｍを付勢に抗する向きに移動操作することで解くように構成されたものである。かかる紐Ｗは、このようにコードロックの留め付けが可能なものであれば、その形状（丸紐、平紐など）、材質や構造（編み紐、ゴム紐、合成樹脂製の紐など）は問われない。かかるコードロックは、典型的には、こうした紐Ｗにより絞られたり、引き締められたりする箇所を備えた各種のコードロックの装備対象物におけるこの箇所を巡る紐Ｗに留め付けられて、その留め付け位置を変えることでこのような箇所を絞ったり、緩めたりするように用いられる。
【００１４】
この実施の形態にかかるコードロックは、雄具Ｍと、付勢手段Ｓと、この雄具Ｍをかかる付勢手段Ｓの付勢に抗する向きへの移動操作可能に納める雌具Ｆとを有する。かかる雄具Ｍの側部４及び雌具Ｆの側部にはそれぞれ紐Ｗの通し孔１、５が形成されており、前記付勢に抗して雄具Ｍを所定位置まで移動させた状態において、この雄具Ｍの通し孔１と雌具Ｆの通し孔５とがこれらの通し孔１、５に抵抗少なくあるいは抵抗なく紐Ｗを通せるように整合し合うようになっている。これらの通し孔１、５に紐Ｗを通した状態から雄具Ｍの前記移動操作を止めると、前記付勢により雄具Ｍは操作前の位置向けて移動され前記通し孔１、５の整合状態が解かれることから、雄具Ｍの通し孔１の挟持箇所１ｃと雌具Ｆの通し孔５の挟持箇所５ａとの間で紐Ｗが挟み付けられる。これにより、紐Ｗの任意の位置にコードロックが留め付けられる。
【００１５】
前記雌具Ｆには、コードロックの装備対象物に対する取り付け部６が備えられている。図示の例では、雌具Ｆは、扁平な筒状主体７の左右にそれぞれ、薄肉板状をなす取り付け部６を形成させてなる。
【００１６】
筒状主体７は、前後二箇所の幅広の側板部７ａ、７ａと、左右の幅狭の側板部７ｂ、７ｂとを有し、筒一端７ｃを雌具Ｆの一方筒口として開放させている。筒状主体７の筒他端７ｄには、筒状主体７の左右方向に亘るスロット７ｆにより前後に区分された底板部７ｅが形成されており、かかるスロット７ｆにより雌具Ｆは他方筒口を有している。
【００１７】
雌具Ｆの通し孔５は、筒状主体７の前記筒一端７ｃと、筒状主体７の筒軸方向中程の位置との間となる位置において、前記幅広の側板部７ａにそれぞれ形成されている。各通し孔５は前記筒軸方向において狭く、前記左右方向に広くなっている。各通し孔５の大きさ及び孔形状は略同一であるが、両通し孔５の中心を結ぶ仮想の直線は、前記筒軸に対し、斜めに交叉するようになっている。
【００１８】
左側の前記取り付け部６は筒状主体７の一方の幅広の側板部７ａと左側の幅狭の側板部７ｂとが接し合う箇所から側方に突き出すように形成され、また、右側の前記取り付け部６は筒状主体７の一方の幅広の側板部７ａと右側の幅狭の側板部７ｂとが接し合う箇所から側方に突き出すように形成されている。左右の取り付け部６の一面と筒状主体７の一方の幅広の側板部７ａの外面とは同面をなすように形成されている。この実施の形態にあっては、かかる左右の取り付け部６の双方又はいずれか一方を、装備対象物となる衣服の生地に縫着することで、コードロックをかかる衣服の所望の位置に取り付けることができるようになっている。すなわち、この実施の形態にあっては、雌具Ｆの取り付け部６は、雌具Ｆの側部から張り出し縫着可能な薄肉板状をなすように構成されている。
【００１９】
また、図示の例では、筒状主体７の前記筒一端７ｃと筒状主体７の筒軸方向中程の位置との間となる位置において、前記左右の幅狭の側板部７ｂ、７ｂにそれぞれ、前記筒軸方向に長い長孔状をなす貫通孔７ｇが形成されている。
【００２０】
一方、前記雄具Ｍは、脚部２と前記通し孔１を備えた頭部３とを有している。
【００２１】
頭部３は、前記雌具Ｆの前後の幅広の側板部７ａ、７ａの内面間に隙間少なく納まる厚さと、この雌具Ｆの左右の幅狭の側板部７ｂ、７ｂの内面間に隙間少なく納まる幅とを備えている。
【００２２】
脚部２は、前記頭部３と等しい幅を有するが、厚さを頭部３よりも小さくさせてなる。脚部２の端部には前後方向に脚部２を貫通する左右方向に長い横スロット２ａが形成されている。また、脚部２における頭部３との連接箇所と前記横スロット２ａとの間には、前後方向に脚部２を貫通する上下方向に長い縦スロット２ｂが形成されている。
【００２３】
雄具Ｍの頭部３から脚部２までの長さは、雌具Ｆの筒軸方向の寸法よりも大きくなっている。雄具Ｍは、雌具Ｆの筒状主体７の筒一端７ｃから、脚部２を先にして、この筒状主体７内、つまり、雌具Ｆ内に上下動可能に納められるようになっている。雄具Ｍの頭部３と脚部２との連接箇所であって、この頭部３の厚さ側の側部にはそれぞれ、係合突起３ａが形成されている。この実施の形態にあっては、雌具Ｆの前記スロット７ｆを通じて雄具Ｍの脚部２の端部における横スロット２ａの形成箇所が筒状主体７の筒他端７ｄの外側に突き出される位置まで雌具Ｆ内に雄具Ｍを前記のように納め入れる過程において、前記係合突起３ａの当接により筒状主体７の幅狭の側板部７ｂにおける前記筒一端７ｃと貫通孔７ｇとの間に位置される箇所が主として弾性変形してかかる納め入れを許容すると共に、係合突起３ａが貫通孔７ｇに入り込む位置までかかる納め入れがなされたときに前記変形箇所が弾性復帰して、かかる貫通孔７ｇに係合突起３ａが係合して雄具Ｍと雌具Ｆとが組み合わされるようになっている。雌具Ｆをプラスチックの成形品とすることでかかる弾性変形特性を雌具Ｆに容易に具備させることができる。この実施の形態にあっては、前記のように筒状主体７の筒他端７ｄの外側に突き出される雄具Ｍの脚部２の端部を引っ張ることでも前記付勢に抗する向きに雄具Ｍを移動させて紐Ｗに対するコードロックの留め付け状態を解除できるようになっている。図示の例では、前記横スロット２ａを利用して脚部２の端部に帯状のストラップを備えさせることができるようになっている。
【００２４】
また、この実施の形態にあっては、前記付勢手段Ｓを、前記雄具Ｍの縦スロット２ｂ内に納められちた圧縮コイルバネにより構成させている。かかる圧縮コイルバネはバネ一端を頭部３に接しさせ、かつ、バネ他端を筒状主体７の底板部７ｅに接しさせて、雄具Ｍを雌具Ｆの一方筒口から外方に押し出させる向きに常時付勢するようになっている。この付勢により、雄具Ｍは、前記貫通孔７ｇにおける雌具Ｆの筒一端７ｃ側にある孔口に係合突起３ａを接しさせ、この筒一端７ｃから外方に頭部３の一部を突き出させるようになっている。（図１）この図１の状態において、雄具Ｍの頭部３に形成された通し孔１と雌具Ｆの通し孔５とは整合されない。
【００２５】
図１の状態から、前記付勢手段Ｓの付勢に抗して雄具Ｍの頭部３を利用して雄具Ｍを雌具Ｆ内に、前記両通し孔１、５が略整合する位置まで押し込むことで、両通し孔１、５への紐Ｗの挿通が可能となる。
【００２６】
前記付勢手段Ｓの付勢により、雄具Ｍは紐Ｗを、以下の箇所を挟持箇所１ｃとして挟み付ける。
（１）通し孔１の一方の孔口１ａにおける前記付勢の付勢手前側Ｓａにある縁部
（２）通し孔１の他方の孔口１ｂにおける前記付勢の付勢手前側Ｓａにある縁部
【００２７】
また、前記付勢手段Ｓの付勢により、雌具Ｆは紐Ｗを、前後二箇所の通し孔５、５における前記付勢の付勢先側Ｓｂにある縁部を挟持箇所５ａとして挟み付ける。
【００２８】
そして、この実施の形態にあっては、前記雄具Ｍの通し孔１における前記挟持箇所１ｃが、この通し孔１ｃの一方の孔口１ａ側よりも他方の孔口１ｂ側において、前記付勢先側Ｓｂに位置されるようになっている。すなわち、この実施の形態にあっては、前記付勢手段Ｓによる付勢方向に沿った仮想の直線ｘに対して、雄具Ｍの二箇所の挟持箇所１ｃ、１ｃを通る仮想の直線ｙが、斜めに交叉するようになっている。（図６）
【００２９】
コードロックを構成する雌具Ｆは装備対象物に取り付け部６をもって取り付けられる。かかる雌具Ｆの挟持箇所５ａと雄具Ｍの挟持箇所１ｃとによって挟持された紐Ｗを、前記雄具Ｍの通し孔１における他方の孔口１ｂから外方に引き出される向き（図６において矢印Ｐで示す向き）に引っ張ると、前記のように形成される通し孔１は前記付勢先側Ｓｂに位置される他方の孔口１ｂ側の挟持箇所を紐Ｗに突き立て難くすることから、この向きには所望の位置まで片手で紐Ｗを比較的抵抗少なく引き出すことができる。この紐Ｗの引っ張り操作を止めると付勢手段Ｓの付勢により雌具Ｆの挟持箇所５ａと雄具Ｍの挟持箇所１ｃとによって再び紐Ｗの挟持がなされる。一方、前記雄具Ｍの通し孔１における一方の孔口１ａから外方に引き出される向きへの紐Ｗが移動される場合には、前記他方の孔口１ｂ側の挟持箇所が紐Ｗに突き立つことから、この向きへは紐Ｗを引き出し難くすることができる。具体的には、この実施の形態にあっては、雄具Ｍの通し孔１の前記他方の孔口１ｂ側の挟持箇所１ｃは、この雄具Ｍの側部４と通し孔１の孔内壁１ｄとが９０度以内の角度をもって接し合う縁部により構成されている。かかる孔内壁１ｄは前記雄具Ｍの二箇所の挟持箇所１ｃ、１ｃを通る仮想の直線ｙに沿っている。また、前記紐Ｗの挟持状態においては、雄具Ｍの通し孔１の二箇所の挟持箇所１ｃ、１ｃはいずれも、雌具Ｆの通し孔５における紐Ｗを挟持する挟持箇所５ａに対向する箇所５ｂよりも、付勢手段Ｓの付勢先側Ｓｂに位置されるようになっている。（図６）
【符号の説明】
【００３０】
Ｍ  雄具
Ｆ  雌具
Ｓ  付勢手段
Ｓｂ  付勢先側
１  通し孔
１ａ  一方の孔口
１ｂ  他方の孔口
５  通し孔
６  取り付け部
【図１】
2012223392.tif 000003
【図２】
2012223392.tif 000004
【図３】
2012223392.tif 000005
【図４】
2012223392.tif 000006
【図５】
2012223392.tif 000007
【図６】
2012223392.tif 000008
【図７】
2012223392.tif 000009
【図８】
2012223392.tif 000010
【図９】
2012223392.tif 000011
【図１０】
2012223392.tif 000012
【図１１】
2012223392.tif 000013
【図１２】
2012223392.tif 000014
【図１３】
2012223392.tif 000015
【図１４】
2012223392.tif 000016
【図１５】
2012223392.tif 000017
【図１６】
2012223392.tif 000018